(57)【特許請求の範囲】
【請求項１】
切断胴の切断部材と協働するカウンター部材を有する胴表面と、
前記胴表面上の前記カウンター部材に付属して隣接して配置された製品把持部材と、
該製品把持部材に結合された第１の作動部材と、
該第１の作動部材と、第１の固定されたピボット軸とに接続された第１のリンク部材と、
第２のリンク部材と、
第２のリンク部材を介して第１の作動部材に接続された第２の作動部材とを有しており、前記第１の作動部材が、第１の輪郭を有する第１の軌道に従って動き、前記第２の作動部材が、第１の輪郭とは異なる第２の輪郭を有する第２の軌道に従って動くことを特徴とする、折り装置組立体の紙案内胴。
【請求項２】
前記製品把持部材が、第１の部分と、該第１の部分に対して角度を付けられた第２の部分とを有する、請求項１に記載の紙案内胴。
【請求項３】
前記製品把持部材の数が、前記胴表面にあるカウンター部材の数に一致する、請求項１に記載の紙案内胴。
【請求項４】
前記第１及び第２の作動部材がそれぞれ、カム従動節を含み、前記第１の軌道及び第２の軌道がそれぞれ、カム軌道を含む、請求項１に記載の紙案内胴。
【請求項５】
前記カム従動節が、第１の軌道及び第２の軌道を有する２重軌道カムに従って動く、請求項４に記載の紙案内胴。
【請求項６】
前記２重軌道カムが、互いに異なる軌道を有する第１の軌道部材と第２の軌道部材とを含む、請求項５に記載の紙案内胴。
【請求項７】
前記第１の軌道及び前記第２の軌道がそれぞれ、第１のカム輪郭と第２のカム輪郭とを含む、請求項４に記載の紙案内胴。
【請求項８】
前記第１のカム輪郭が前記把持部材に前記胴表面から離れる動作を生じさせる、請求項７に記載の紙案内胴。
【請求項９】
前記第１の軌道及び前記第２の軌道がそれぞれ、高ドゥエル部と低ドゥエル部をその輪郭に含む、請求項５に記載の紙案内胴。
【請求項１０】
前記第１の作動部材が、第１の固定されたピボット軸の周りに回転可能に結合されている、請求項１に記載の紙案内胴。
【請求項１１】
前記把持部材が第２のピボット軸の周りに前記第２の作動部材によって動かされる、請求項１０に記載の紙案内胴。
【請求項１２】
前記第２のピボット軸が第１のカム従動節に相当する、請求項１１に記載の紙案内胴。
【発明の詳細な説明】
【０００１】
【発明の属する技術分野】
本発明は、表面で製品を各製品移動経路に沿って搬送する少なくとも１つの折り胴を有する、折り装置内の製品把持部材に関する。
【０００２】
【従来の技術】
米国特許第５,４８４,３７９号には印刷機用の折り装置組立て体が開示されている。巻き取り紙輪転印刷機に設けられた折り装置は、紙のウエブをウエブセグメントに分断する１対の協働する重ね胴と切断胴を含んでいる。ベルトコンベヤ装置が、この重ね胴の表面の、重ね胴と切断胴との間の紙リボンの取入口点の直前の一部を覆っている。このベルトコンベヤ装置は、紙リボンの新しく生じた前縁が跳ねて戻るのを防止する。米国特許第５,４８４,３７９号の解決策によると、ベルトコンベヤ装置は重ね胴に隣接して配置されている。このベルトコンベヤ装置は、重ね胴の好ましい表面上に配置されたウエブ材の前縁部分に接触している。このベルトコンベヤ装置は、このウエブ材の前縁を紙ウエブの移動方向に移動させる。したがって、この重ね胴とこのベルトコンベヤ装置は、胴表面に対して前縁の紙ウエブの移動方向に予め力を加えている。胴表面に対してウエブ材の前縁に予め力を加えることによって、この前縁は各胴表面上で強制的にスリップさせられる。後の工程で行なわれる折りの正確さは、紙のストックや各ウエブ材に含まれるリボンの数に応じて、ウエブ材の新しく生じた前縁が把持部材によって把持される位置によって決まる。
【０００３】
【発明が解決しようとする課題】
従来技術によるこの解決策についての技術的な問題に鑑み、本発明の目的は、各製品が分断されるウエブ材の新しい前縁を、把持部材に干渉することなく切断動作を行って、確実に把持することにある。
【０００４】
本発明の他の目的は、ウエブ材の前縁の把持部材を信頼性の高い部材によって動作させることにある。
【０００５】
本発明のさらに他の目的は、入ってくるウエブ材から分断された各製品を確実に制御することにある。
【０００６】
【課題を解決するための手段】
本発明の好適な態様によると、折り装置組立て体の紙案内胴は、
切断胴の切断部材と協働するカウンター部材を有する胴表面と、
胴表面上のカウンター部材に付属した製品把持部材とを含んでおり、
製品把持部材は第１のピボット軸の周りで開く動作を行い、
製品把持部材は他のピボット軸の周りに把持動作を行う。
【０００７】
本発明による解決策の利点は、ウエブ材の前縁部分が紙案内胴表面に対して相対的に動かされないことによって得られる。したがって、複数のリボンから構成されるウエブ材の前縁に見当ズレが起こらない。さらに、開く動作を切断動作によって切断が行われた後に第１のステップで行い、その後、把持部材の頭部部分が上方に開いた開かれた位置から下方に向かう把持動作を行うことで把持動作を第２のステップで行う２ステップ式に各把持部材が動かされる。
【０００８】
本発明の他の有利な実施態様では、把持部材が第１の部分と第２の部分を含んでいる。この第２の部分は、ウエブ材の各前縁を把持する傾斜したフック状の部分を含んでいる。前縁は、紙案内胴の表面上に配置された時にウエブ材の前縁が相対的に動かされることなく把持部材によって確実に固定される複数の層すなわちリボンを有していてもよい。この製品把持部材は、紙案内胴の周囲上に配置され、胴表面上の、各切断動作用の切断用カウンター部材のそれぞれに付属している。胴表面上の製品把持部材を動作させるために、複数の作動部材が、各把持部材に２ステップ動作をさせるように設けられている。
【０００９】
作動部材は、第１の軌道と第２の軌道を含む２重軌道カムとして構成されていてよいカム部材を有している。これらの軌道は、各々が低ドゥエル部と高ドゥエル部をそれぞれ有する第１の輪郭と第２の輪郭を備えている。各軌道の輪郭は、把持部材の、カム従動節のような各作動部材と協働する各カム表面である。
【００１０】
作動部材は、製品把持部材が固定されている固定されたピボット軸を含んでいる。この固定されたピボット軸と製品把持部材との間には、レバーなどのようなリンク部材が取り付けられている。２重軌道カムの軌道の１つと協働する他の作動部材は、リンク部材によって各第２のピボット軸の周りに回転する。したがって、第２の作動部材がリンク部材によって回転すると、第２のピボット軸の周りのその回転運動によって、把持部材が各胴表面から開いた位置に回転させる。
【００１１】
第２のピボット軸は、前述した第１のカム輪郭と協働する第１のカム従動節に相当している。第１のカム従動節は第１のカム輪郭に従って動いて、開いた位置に持ち上げられ、製品把持部材を紙案内胴表面の各部分から離れた開いた位置に動かす。第２の軌道上のカムに従動する第２の作動部材に従って動かされる、開いた位置に位置している把持部材は、その上方位置から、第２のピボット軸の周りに下方に向かって動かされて回転させられ、したがって把持動作によって、ウエブ材の前縁が相対的に動かされることなくウエブ材の各前縁が把持される。
【００１２】
上述した２重動作式の把持部材を有する紙案内胴は、広告や新聞用の折り装置に用いられのが有利である。
【００１３】
本発明の実施態様による、製品把持部材の動作方法によれば、紙案内胴表面に設けられた各製品把持部材は、退避された位置から、胴表面から離れた開いた位置に第１の動作ステップで開かれ、そして第２の動作ステップで、製品把持部材は、開いた位置から下方に向かって動かされて紙案内胴表面上の前縁位置に向かって動かされる。この開く動作のステップと、実質的に下方に向けて行なわれる把持動作のステップは、切断動作に干渉することなく把持動作を行うために互いにすぐに続けて行われる。製品把持部材の第１の部分の開く動作を表した第１のステップで、製品把持部材の第１の部分が上方位置に動かされる。カム従動節のような第２の作動部材の動作と同時に、開いた位置にある製品把持部材は、実質的に下方に向けて、紙案内胴の表面上の各ウエブ材の各多層構造のリボンを把持するように動かされる。紙案内胴表面に向かう、製品把持部材の第１の部分の下方に向かう各動作によって、切断された前縁が、各紙案内胴表面上でアンビルバーのような切断用のカウンター部材が受け入れられた溝の近傍で、実質的にその見当合わせされた位置で把持されるので、前縁のどのような相対的な動きも防止される。
【００１４】
【発明の実施の形態】
次に、本発明の実施形態について図面を参照して説明する。
【００１５】
図１によれば、折り装置組み立て体の側面図が詳細に示されている。図１は、本発明による折り装置１の好適な実施形態について全体的な側面図を示しており、折り胴の構成とこの折り装置内にある、製品を搬送する搬送手段の経路が図示されている。折り装置１のフレーム内には、切断刃を有し、各第１の紙案内胴８の表面上のカウンター部材２３と協働する切断胴３が配置されている。横方向にミシン目を入れられたウエブ材をそれが製品または折り丁に分けられる前に得るための横方向目打ち胴２として示されている目打ち装置も含まれていてよい。このウエブ材は、ニップローラ２１によって目打ち胴２に通され、また把持ローラ２２に通されて切断胴３に搬送される。搬送装置には第１の搬送テープ４と第２の搬送テープ５が備えられている。搬送テープ４,５にはテープ張り装置６,６'が付属している。テープ４,５の搬送経路に組み込まれて、製品を搬送時になでつける紙さばきローラ７が設けられている。
【００１６】
搬送テープ４,５によって製品は第１の紙案内胴８に搬送される。この後、これらの製品は反時計回り方向に重ね胴である第１の紙案内胴８と折り胴、すなわちジョー胴である第２の紙案内胴１４との間のニップに位置する折り領域１３に送られる。これらの製品は、ベルト４によって、各製品を確実に制御する入口部１２を通って重ね胴であるである第１の紙案内胴８の表面１８に搬送される。これらの製品は、折り領域１３に到達すると、第２の紙案内胴１４の周囲１９上に配置された折りジョー１５内に、折り込みブレード（詳細に図示せず）によって折り込まれる。
【００１７】
横方向の折りは、好適な実施形態では、製品の中央(すなわち製品の中心点)で、搬送され横方向に折られる製品の長さの半分が、あおり止め部材１１を備えた製品案内装置９の下方の周囲部に到達した時に行われる。製品の半分をジョー胴である第２の紙案内胴１４の相応する折りジョー１５内に折り込むと、この製品の上半分は第１の紙案内胴８すなわち重ね胴の胴表面１８上を反時計回り方向に移動し、一方この製品の下半分は時計回り方向に第２の紙案内胴１４に従って動く。製品は、時計回り方向に延びるあおり止め部材１１の下方で時計回り方向に重ね胴である第１の紙案内胴８を離れるようにジョー胴である第２の紙案内胴１４によって引かれる。移行領域１７内では、製品は加速の大きな力を受け、この結果、製品の縁が急に動かされる。あおり止め部材１１を有する案内装置９は、折り装置１内に取り付けられた各保護部材に固定されている。
【００１８】
図２は、切断動作を可能にする退避位置にある製品把持部材を示している。
【００１９】
各開始位置３７では、２重動作式の製品把持部材２４がその退避位置に位置している。第１の紙案内胴８の各周囲１８に沿って、切断用のカウンター部材２３の数に相当する複数の製品把持部材２４が配置されている。各製品把持部材２４は第１の部分２４.１とフック状の第２の部分２４.２を有している。各第１の紙案内胴８には、ここでは各２つのカム軌道３４,３５を有する２重軌道カムとして示されている作動カム３１が付属している。他方では、この作動カム３１は、各々が各軌道３４,３５を有する２つの独立して位相合わせが可能なカムを含んでいてもよい。２つの独立したカム３４,３５によって、製品把持部材２４の各２ステップ動作の独立した位相合わせが独立して調節される。これら２つのカム軌道３４,３５の各々は第１の輪郭３２と第２の輪郭３３をそれぞれ有している。以下に詳細に説明するように、各輪郭３２,３３はこの複数の製品把持部材２４の各作動周期を初期設定する高ドゥエル部と低ドゥエル部を有している。
【００２０】
この製品把持部材２４は、その第１の部分２４.１で第２のピボット軸２６に固定されている。この第２のピボット軸２６と同軸に、カム従動節のような作動部材２９が回転可能に設けられている。この第２のピボット軸２６から、各リンク部材２７,２８が、固定された第１のピボット２５と、各第２のカム軌道３５の輪郭に従って動くカム従動節のような第２の作動部材３０に延びている。第１の紙案内胴８の胴表面１８上には、図１の切断胴３の各切断刃と切断動作時に協働する、アンビルバーのようなカウンター部材２３を収容する溝３６が示されている。
【００２１】
図３は、紙案内胴の表面の上方に開かれた中間位置に位置している上記の製品把持部材２４を示している。
【００２２】
この構成によると、第２のピボット軸２６は第１の軌道３４の第１のカムの輪郭３２によって上方の位置に移動させられている。この位置では、第２のピボット軸２６は、固定されたピボット２５の周りにわずかに回転して高ドゥエル部分によってその上方位置に移動させられている。ここで概略的に示されているように、把持部材２４が取り付けられた作動部材２９は、カム従動節である作動部材２９がカム３１の第１の軌道３４に従って動くことによって開かれている。前縁位置４０に対する、把持部材２４の開き、すなわち把持部材２４の第１の部分２４.１の開きの大きさは、カム軌道３４,３５を相互間で位相合わせすることによって変えてもよい。第２の作動部材３０を第２のカム輪郭３３を通って低ドゥエル部分に渡すことによって、リンク部材２８は第２のピボットである作動部材２９を時計回り方向に動かし、把持部材２４の開きを大きくする。したがって、把持部材２４の第１の部分２４.１が下方に向かう動きで全てのリボン層が同時に把持されるので、ウエブ材の比較的厚い前縁を確実に把持することが可能である。図３に示す各把持部材２４の動きは、第１のステップ、すなわち、把持部材２４の中間位置３８に対応している。この段階では、把持部材２４は、本発明による折り装置１内で処理されるウエブ材の前縁の厚さに応じた所定の大きさ開いたところである。
【００２３】
図４は、ウエブ材の前縁を把持した閉じた位置にある製品把持部材２４を示している。
【００２４】
前の図３に示されたような上方の中間位置３８に続いて、製品把持部材２４は前縁位置４０に対して今度は閉じた位置３９に位置している。各第２のピボット軸２６を、したがって第２の作動部材２９をその上方位置に動かす第２の動作ステップ、すなわち製品把持部材２４を閉じることは、第２の作動部材３０が第２のカム輪郭３３を有する第２の軌道３５の高ドゥエル位置に接触することによって行われる。第２のピボット軸２６は第２のリンク部材２８によって時計回り方向に回転させられ、これによって製品把持部材２４は、十分に下方に移動させられて、ウエブ材の各前縁に、参照番号４０で表される前縁位置の上方で接触する。把持部材２４が開く大きさは、第１の軌道３４の高ドゥエル位置と第２の軌道３５の各低ドゥエル位置に応じて決まり、また調節可能である。他方で、第２の軌道３５の各高ドゥエル位置によって製品把持部材２４のフック状の第１の部分２４.１がウエブの前縁に対して下方に動かされる量を変えることができる。相互間で独立して調節可能な２つのカム軌道３４,３５の位相合わせによって、閉じる量と前縁に及ぼされる把持力の大きさを印刷ジョブの要求に応じて個別に調節できる。
【００２５】
この２重動作式の把持は、ここでは詳細に示さないが、電動モータのような電動式アクチュエータによって把持部材２４を作動させることよって行うことができる。本発明による製品把持部材２４は、重ね胴、折り胴および／またはジョー胴のような各紙案内胴上の折り装置で用いられる。
【図面の簡単な説明】
【図１】折り装置組立て体の側面図である。
【図２】切断動作を可能にする退避位置にある製品把持部材を示す図である。
【図３】紙案内胴表面の上方に開かれた中間位置にある製品把持部材を示す図である。
【図４】ウエブ材の前縁を把持させられた閉じた位置にある製品把持部材を示す図である。
【符号の説明】
１    折り装置
２    目打ち胴
３    切断胴
４,５    搬送テープ
６,６'    テープ張り装置
７    紙さばきローラ
８    第１の紙案内胴
９    製品案内装置
１１    あおり止め部材
１２    入口部
１３    折り領域
１４    第２の紙案内胴
１５    折りジョー
１８    表面
１９    周囲
２１    ニップローラ
２２    把持ローラ
２３    カウンター部材
２４    製品把持部材
２４.１    第１の部分
２４.２    第２の部分
２５    第１のピボット
２６    第２のピボット軸
２７,２８     リンク部材
２９,３０    作動部材
３１    作動カム
３２,３３    輪郭
３４,３５    カム軌道
３６    溝
３７    開始位置
３８    中間位置
３９    閉じた位置
４０    前縁位置
【図１】
0004903935.tif 000002
【図２】
0004903935.tif 000003
【図３】
0004903935.tif 000004
【図４】
0004903935.tif 000005